(57)【要約】【課題】目的地への訪問に有用性の高い情報をユーザーへ提供することのできるナビゲーション装置を提供すること。【解決手段】各種Ｗｅｂページ情報が保存されている場所を示すアドレスデータが記憶されたアドレスデータ記憶手段から、目的地に関するＷｅｂページのアドレスデータを読み出す第１のアドレスデータ読出手段とを備えた、車両に装備されるナビゲーション装置において、アドレスデータ記憶手段から、目的地への訪問目的に基づくユーザーにとって有用性の高いＷｅｂページのアドレスデータを読み出す第２のアドレスデータ読出手段を備えると共に、目的地への訪問目的に基づくユーザーにとっての有用性の優劣基準を、目的地との位置的関連性、及び目的地として設定される施設等の種別に基づいたものとする。【選択図】  図５
2004325187.tif 000002
【特許請求の範囲】
【請求項１】
目的地を設定するための目的地設定手段と、
各種Ｗｅｂページ情報が保存されている場所を示すアドレスデータが記憶されたアドレスデータ記憶手段から、前記目的地設定手段により設定された目的地に関するＷｅｂページのアドレスデータを読み出す第１のアドレスデータ読出手段とを備えた、移動体に装備されるナビゲーション装置において、
前記アドレスデータ記憶手段から、前記目的地への訪問目的に基づくユーザーにとって有用性の高いＷｅｂページのアドレスデータを読み出す第２のアドレスデータ読出手段を備えると共に、
前記目的地への訪問目的に基づくユーザーにとっての有用性の優劣基準が、前記目的地との位置的関連性、及び前記目的地として設定される施設等の種別に基づいていることを特徴とするナビゲーション装置。
【請求項２】
前記目的地との位置的関連性、及び前記目的地として設定される施設等の種別に基づいて、前記アドレスデータ記憶手段から、前記目的地への訪問目的に基づくユーザーにとって有用性の高いＷｅｂページ情報を検索する検索手段を備え、
前記第２のアドレスデータ読出手段が、前記検索手段による検索結果に基づいて、前記アドレスデータ記憶手段から、ユーザーにとって有用性の高いＷｅｂページのアドレスデータを読み出すものであることを特徴とする請求項１記載のナビゲーション装置。
【請求項３】
前記検索手段が、前記目的地として設定される施設等の種別と同じ種別である別の施設等に関するＷｅｂページ情報を検索の対象とするものであることを特徴とする請求項２記載のナビゲーション装置。
【請求項４】
前記目的地として設定される施設等の種別と、検索対象となるＷｅｂページ情報との関連付けをユーザーが設定するための検索対象設定手段を備え、
前記検索手段が、前記検索対象設定手段による設定に基づいて、Ｗｅｂページ情報の検索を行うものであることを特徴とする請求項２記載のナビゲーション装置。
【請求項５】
前記第１のアドレスデータ読出手段、及び前記第２のアドレスデータ読出手段により読み出し可能なアドレスデータに対応するＷｅｂページ数に基づいて、前記移動体の外部に設置された情報提供装置に対し、前記目的地に関連するＷｅｂページのアドレスデータの送信を要求すべきか否かを判断する要否判断手段と、
該要否判断手段によりアドレスデータの送信を要求すべきであると判断されると、前記目的地設定手段により設定された目的地を特定する目的地特定情報を通信手段を介して、前記情報提供装置へ送信する第１の送信手段と、
前記目的地特定情報に基づき、前記情報提供装置から送信されてくる前記目的地に関連するＷｅｂページのアドレスデータを受信する第１の受信手段とを備えていることを特徴とする請求項１〜４のうちのいずれかの項に記載のナビゲーション装置。
【請求項６】
目的地を設定するための目的地設定手段を備えた、移動体に装備されるナビゲーション装置において、
前記目的地設定手段により設定された目的地に関連するＷｅｂページのインデックス情報、種別データ、及びアドレスデータを対応づけて記憶する第１のデータ記憶手段と、
該第１のデータ記憶手段に記憶されているインデックスを種別毎に表示するインデックス表示手段と、
表示中のインデックスの中から、所望のインデックスをユーザーが選択するためのインデックス選択手段と、
該インデックス選択手段により選択されたインデックスに対応するアドレスデータに基づいて、該アドレスデータに対応するＷｅｂページを表示する第１のＷｅｂページ表示手段とを備えていることを特徴とするナビゲーション装置。
【請求項７】
前記種別データに基づいて、前記第１のデータ記憶手段に記憶されている各Ｗｅｂページの種別を表示する種別表示手段と、
該種別表示手段により表示中の種別の中から、所望の種別をユーザーが選択するための種別選択手段とを備え、
前記インデックス表示手段が、前記種別選択手段により選択された種別に対応するＷｅｂページのインデックスを表示するものであることを特徴とする請求項６記載のナビゲーション装置。
【請求項８】
目的地を設定するための目的地設定手段と、
該目的地設定手段により設定された目的地に関連するＷｅｂページ情報が保存されている場所を示すアドレスデータを記憶する第２のデータ記憶手段と、
該第２のデータ記憶手段に記憶されているアドレスデータに基づいて、該アドレスデータに対応するＷｅｂページを表示する第２のＷｅｂページ表示手段とを備えた、移動体に装備されるナビゲーション装置において、
前記目的地設定手段により設定された目的地が複数存在する場合、前記第２のＷｅｂページ表示手段が、前記移動体が次に到達する予定の目的地に関連するＷｅｂページを表示するものであることを特徴とするナビゲーション装置。
【請求項９】
目的地を設定するための目的地設定手段と、
該目的地設定手段により設定された目的地に関連するＷｅｂページ情報が保存されている場所を示すアドレスデータを記憶する第２のデータ記憶手段と、
該第２のデータ記憶手段に記憶されているアドレスデータに基づいて、該アドレスデータに対応するＷｅｂページを表示する第２のＷｅｂページ表示手段とを備えた、移動体に装備されるナビゲーション装置において、
前記移動体の前記目的地への到達状況を求める到達状況算出手段と、
該到達状況算出手段により求められる前記目的地への到達状況に基づいて、前記第２のＷｅｂページ表示手段による前記目的地に関連するＷｅｂページの表示／消去の切り替えを行う表示切替手段とを備えていることを特徴とするナビゲーション装置。
【請求項１０】
目的地を設定するための目的地設定手段と、
該目的地設定手段により設定された目的地に関連するＷｅｂページ情報が保存されている場所を示すアドレスデータを記憶する第２のデータ記憶手段と、
該第２のデータ記憶手段に記憶されているアドレスデータに基づいて、該アドレスデータに対応するＷｅｂページを表示する第２のＷｅｂページ表示手段とを備えた、移動体に装備されるナビゲーション装置において、
表示すべきＷｅｂページが複数存在する場合、前記第２のＷｅｂページ表示手段が、表示すべき複数のＷｅｂページを順次表示していくものであることを特徴とするナビゲーション装置。
【請求項１１】
Ｗｅｂページの情報量に基づいて、表示時間を設定する表示時間設定手段を備え、
前記第２のＷｅｂページ表示手段が、前記表示時間設定手段により設定された表示時間に基づいて、Ｗｅｂページを順次表示していくものであることを特徴とする請求項１０記載のナビゲーション装置。
【請求項１２】
目的地を設定するための目的地設定手段を備えた、移動体に装備するナビゲーション装置において、
前記目的地設定手段により設定された目的地を特定する目的地特定情報を通信手段を介して、前記移動体の外部に設置された情報提供装置へ送信する第２の送信手段と、
前記目的地特定情報に基づき、前記情報提供装置から送信されてくる、前記目的地に関連するＷｅｂページ情報が保存されている場所を示すアドレスデータを受信する第２の受信手段とを備えていることを特徴とするナビゲーション装置。
【請求項１３】
通信手段を介して外部へ情報の提供を行う情報提供装置において、
外部のナビゲーション装置から送信されてくる、ある地点を特定する地点特定情報を受信する第３の受信手段と、
前記地点特定情報を受信すると、各種Ｗｅｂページ情報が保存されている場所を示すアドレスデータが記憶されたアドレスデータ記憶手段から、前記地点に関するＷｅｂページ情報が保存されている場所を示すアドレスデータを読み出す第３のアドレスデータ読出手段と、
該第３のアドレスデータ読出手段により読み出されたアドレスデータを前記通信手段を介して、前記ナビゲーション装置へ送信する第３の送信手段とを備えていることを特徴とする情報提供装置。
【発明の詳細な説明】
【０００１】
【発明の属する技術分野】
本発明はナビゲーション装置、及び情報提供装置に関し、より詳細には、目的地に関連する情報を容易に取得することが可能なナビゲーション装置、及び該ナビゲーション装置での前記情報の取得を補助するための情報提供装置に関する。
【０００２】
【従来の技術】
図１６は、従来のナビゲーション装置の要部を概略的に示したブロック図である。車速から演算して走行距離を取得するための車速センサ２と、進行方向を取得するためのジャイロセンサ３とがマイコン１に接続されており、マイコン１は、演算した走行距離、及び進行方向に基づいて自車位置を割り出すことができるようになっている（自律航法）。ＧＰＳ受信機４は、アンテナ５を介して衛星からのＧＰＳ信号を受信するものであり、マイコン１に接続されており、マイコン１は、ＧＰＳ信号に基づいて自車位置を割り出すことができるようになっている（ＧＰＳ航法）。
【０００３】
また、道路データ等が記憶されたＤＶＤ−ＲＯＭ７から道路データ等を取り込むことのできるＤＶＤドライブ６はマイコン１に接続されており、マイコン１は割り出した自車位置と道路データとを合わせる（いわゆる、マップマッチング処理を行う）ことによって、自車位置が正確に示された地図を表示パネル９ａへ表示することができるようになっている。
【０００４】
また、リモコン８に設けられたジョイスティック８ａやボタンスイッチ８ｂから出力されたスイッチ信号や、表示装置９に設けられたボタンスイッチ９ｂから出力されたスイッチ信号がマイコン１に入力され、これらスイッチ信号に応じた処理がマイコン１で行われるようになっている。例えば、マイコン１は、これらスイッチから移動目的地の情報を取り込むと、自車位置から目的地までの最適ルートを探索し、これを誘導ルートとして地図と共に表示パネル９ａ上に表示するようになっている。
【０００５】
このようにナビゲーション装置では、表示パネル９ａに地図が表示され、その地図上に使用者により入力された目的地、該目的地へ至る誘導ルート、自車の現在位置に対応する自車位置マーク、及びそれまでの自車の走行軌跡等が重ねて表示されるようになっており、ユーザーはこの表示パネル９ａを逐次参照することで、進路情報を得ることができ、その進路情報に従うことで目的地に到達することができるようになっている。
【０００６】
また、最近では単に、目的地へ至る誘導ルートを表示するだけでなく、施設に関するＷｅｂページ情報が保存されている場所を示すアドレスデータが前記施設に対応付けて記憶された記憶装置から、前記目的地として設定された施設に関するＷｅｂページのアドレスデータを読み出し、読み出したアドレスデータに基づいて、前記Ｗｅｂページ情報が保存されている場所（アドレス）へアクセスすることによって、前記施設に関するＷｅｂページを表示させるといった提案がなされている（下記の特許文献１、２参照）。
【０００７】
例えば、特許文献１には、目的地に関するＷｅｂページを表示したり、前記目的地として設定された場所が建造物以外の場合、前記目的地付近の建造物に関するＷｅｂページを表示するといったことが記載されている。目的地として設定される施設に関するＷｅｂページが表示されると、ユーザーは事前に前記施設の定休日や、営業時間などを把握することができるため、前記施設へ定休日や、営業時間外に訪問してしまうといった問題が生じるのを回避することができる。
【０００８】
【特許文献１】
特開平１１−１４２１７４号公報
【特許文献２】
特開平１１−２８３１８３号公報
【０００９】
【発明が解決しようとする課題】
ところで、観光名所や、映画館、ゴルフ場などへ訪問する主たる目的というのは、名所の観光や、映画鑑賞、ゴルフのプレイを楽しむことであり、出発地（例えば、自宅）と目的地となる観光名所や、映画館、ゴルフ場などとの単なる往復のドライブではないと考えられる。
【００１０】
例えば、観光名所へ自動車で訪問した場合、自動車を駐車させてその名所を観光したり、その名所近くのレストランで食事をするといったことなどが考えられる。すなわち、観光名所へ訪問する場合には、観光名所に関する情報はもちろんであるが、それ以外の情報として、名所近くに存在する駐車場や、レストランに関する情報、そして名所付近の天気に関する情報がユーザーにとって有用性の高い情報となる。
【００１１】
しかしながら、特許文献１に記載された発明は、単に目的地に関するＷｅｂページを表示したり、前記目的地として設定された場所が建造物以外の場合に、前記目的地付近の建造物に関するＷｅｂページを表示するといったものであって、ユーザーに提供する情報は充実されていなかった。
【００１２】
他方、特許文献２には、目的地周辺の天気に関するＷｅｂページを表示するといった発明が記載されており、特許文献１に記載された発明よりも情報の充実度が図られた発明が記載されているが、目的地周辺の天気に関する情報だけではユーザーに提供する情報が充実しているとは言えない。
【００１３】
また、特許文献２に記載された発明では、目的地に関連するＷｅｂページを前記目的地へ到達した場合に表示するようになっているが、これではユーザーが前記目的地に関連する情報を事前に把握しておくことはできないため、その効果が半減する虞がある。
【００１４】
本発明は上記課題に鑑みなされたものであって、目的地への訪問に有用性の高い情報を提供することができたり、該情報を適切なタイミングで提供することのできるナビゲーション装置、及び目的地に関連する情報の取得を補助することのできる情報提供装置を提供することを目的としている。
【００１５】
【課題を解決するための手段及びその効果】
上記目的を達成するために本発明に係るナビゲーション装置（１）は、目的地を設定するための目的地設定手段と、各種Ｗｅｂページ情報が保存されている場所を示すアドレスデータが記憶されたアドレスデータ記憶手段から、前記目的地設定手段により設定された目的地に関するＷｅｂページのアドレスデータを読み出す第１のアドレスデータ読出手段とを備えた、移動体に装備されるナビゲーション装置において、前記アドレスデータ記憶手段から、前記目的地への訪問目的に基づくユーザーにとって有用性の高いＷｅｂページのアドレスデータを読み出す第２のアドレスデータ読出手段を備えると共に、前記目的地への訪問目的に基づくユーザーにとっての有用性の優劣基準が、前記目的地との位置的関連性、及び前記目的地として設定される施設等の種別に基づいていることを特徴としている。
【００１６】
「発明が解決しようとする課題」の項目でも説明したように、観光名所や、映画館、ゴルフ場などへ訪問する主たる目的というのは、名所の観光や、映画鑑賞、ゴルフのプレイを楽しむことであり、出発地（例えば、自宅）と目的地となる観光名所や、映画館、ゴルフ場などとの単なる往復のドライブではないと考えられる。
【００１７】
例えば、観光名所へ自動車で訪れる場合というのは、自動車をその名所付近で駐車させて観光したり、その近くのレストランで食事をするといったことなどが考えられる。すなわち、観光名所へ訪れる場合、観光名所に関する情報はもちろんであるが、それ以外の情報として、名所近くに存在する駐車場や、レストランに関する情報、そして名所付近の天気に関する情報が、観光名所への訪問目的に基づくユーザーにとって有用性の高い情報となる。換言すれば、目的地となる観光名所の近くに存在したとしても、百貨店に関する情報はあまり有用性の高い情報とは言えない。むしろ、有用性の低い情報となる。
【００１８】
また、ゴルフ場へ自動車で訪れる場合というのは、ゴルフ場でプレイを楽しむことはもちろんであるが、プレイを楽しむ前に近くのゴルフ練習場でショットの練習をしたり、プレイ終了後、近くのレストランで食事をするといったことなどが考えられる。すなわち、ゴルフ場へ訪れる場合、そのゴルフ場に関する情報はもちろんであるが、それ以外の情報として、ゴルフ場の近くに存在するゴルフ練習場や、レストランに関する情報、そしてゴルフ場付近の天気に関する情報が、ゴルフ場への訪問目的に基づくユーザーにとって有用性の高い情報となる。換言すれば、目的地となるゴルフ場の近くに存在したとしても、遊園地に関する情報はあまり有用性の高い情報とは言えない。むしろ、有用性の低い情報となる。また、ゴルフ場への出発は早朝となることが多いので、コンビニエンスストアに関する情報なども有用性の高い情報となる。
【００１９】
上記ナビゲーション装置（１）によれば、前記アドレスデータ記憶手段から、前記目的地への訪問目的に基づくユーザーにとって有用性の高いＷｅｂページのアドレスデータを読み出す第２のアドレスデータ読出手段を備えると共に、前記目的地への訪問目的に基づくユーザーにとっての有用性の優劣基準が、前記目的地との位置的関連性だけでなく、前記目的地として設定される施設等の種別に基づいている。
【００２０】
例えば、前記目的地として観光名所が設定され、該観光名所の近くに駐車場や、レストラン、百貨店、遊園地、図書館が存在する場合には、駐車場やレストランに関するＷｅｂページのアドレスデータが読み出され、また、前記目的地としてゴルフ場が設定され、該ゴルフ場の近くにゴルフ練習場や、レストラン、遊園地、学校、コンビニエンスストアが存在する場合には、ゴルフ練習場や、レストラン、コンビニエンスストアに関するＷｅｂページのアドレスデータが読み出されることとなる。
【００２１】
すなわち、前記目的地への訪問目的に基づくユーザーにとって有用性の高いＷｅｂページのアドレスデータが読み出されるため、ユーザーにとって有用性の高いＷｅｂページを表示することができるようになる。従って、前記目的地への訪問にとって有用性の高い情報をユーザーへ提供することができる。
【００２２】
また、本発明に係るナビゲーション装置（２）は、上記ナビゲーション装置（１）において、前記目的地との位置的関連性、及び前記目的地として設定される施設等の種別に基づいて、前記アドレスデータ記憶手段から、前記目的地への訪問目的に基づくユーザーにとって有用性の高いＷｅｂページ情報を検索する検索手段を備え、前記第２のアドレスデータ読出手段が、前記検索手段による検索結果に基づいて、前記アドレスデータ記憶手段から、ユーザーにとって有用性の高いＷｅｂページのアドレスデータを読み出すものであることを特徴としている。
【００２３】
前記目的地への訪問目的に基づくユーザーにとって有用性の高いＷｅｂページのアドレスデータの読み出しを実現する方法の一つとしては、前記目的地となる施設等（例えば、ゴルフ場やスキー場）と、前記施設等への訪問目的に基づくユーザーにとって有用性の高いＷｅｂページのアドレスデータとが関連づけて記憶された記憶装置（後述する、図１１参照）を利用するといった方法が挙げられる。
【００２４】
しかしながら、目的地となる施設等と、有用性の高いＷｅｂページのアドレスデータとが関連づけて記憶された記憶装置は非常にデータ量の大きいものとなり、また、前記目的地となる施設等と、該施設等それぞれに対する前記アドレスデータとを関連づけて記憶させるといった作業は非常に労力を要し、コストアップを招く虞がある。
【００２５】
上記ナビゲーション装置（２）によれば、前記目的地との位置的関連性、及び前記目的地として設定される施設等の種別に基づいて、前記アドレスデータ記憶手段から、前記目的地への訪問目的に基づくユーザーにとって有用性の高いＷｅｂページ情報を検索する検索手段を備え、前記第２のアドレスデータ読出手段が、前記検索手段による検索結果に基づいて、アドレスデータの読み出しが行われる。
【００２６】
前記目的地との位置的関連性、及び前記目的地として設定される施設等の種別に基づいた検索を実現するには、施設等（例えば、観光名所、ゴルフ場、駐車場、レストラン、コンビニエンスストア）の情報として、各施設等の位置データ、及び種別データと、その施設等に関するＷｅｂページ情報が保存されている場所（アドレス）を示すアドレスデータとを対応付けて記憶された記憶装置（後述する、図３参照）があれば十分である。従って、目的地となる施設等と、有用性の高いＷｅｂページのアドレスデータとが関連づけて記憶された記憶装置（図１１参照）を用いなくても良いため、データ量の小さい記憶装置を使用することができ、また、コストダウンを図ることもできる。
【００２７】
また、本発明に係るナビゲーション装置（３）は、上記ナビゲーション装置（２）において、前記検索手段が、前記目的地として設定される施設等の種別と同じ種別である別の施設等に関するＷｅｂページ情報を検索の対象とするものであることを特徴としている。
【００２８】
例えば、目的地として「○△スキー場」が設定された場合、ユーザーが「○△スキー場」へ訪問する主たる目的というのは、スキー滑りを楽しむことであると考えられるので、「○△スキー場」に関する情報がユーザーにとって有用性の高い情報であることはもちろんであるが、「○△スキー場」の近くに存在する別のスキー場に関する情報も有用性の高い情報であると言える。
【００２９】
上記ナビゲーション装置（３）によれば、前記目的地として設定される施設等の種別と同じ種別である別の施設等に関するＷｅｂページ情報についても、検索の対象となっているので、ユーザーにとって有用性の高い情報をより適切に提供することができる。
【００３０】
また、本発明に係るナビゲーション装置（４）は、上記ナビゲーション装置（２）において、前記目的地として設定される施設等の種別と、検索対象となるＷｅｂページ情報との関連付けをユーザーが設定するための検索対象設定手段を備え、前記検索手段が、前記検索対象設定手段による設定に基づいて、Ｗｅｂページ情報の検索を行うものであることを特徴としている。
【００３１】
上記ナビゲーション装置（４）によれば、前記目的地として設定される施設等の種別と、検索対象となるＷｅｂページ情報との関連付けをユーザーが自由に設定することができるため、ユーザーにとって有用性の高い情報をより適切に提供することができる。
【００３２】
また、本発明に係るナビゲーション装置（５）は、上記ナビゲーション装置（１）〜（４）のうちのいずれかにおいて、前記第１のアドレスデータ読出手段、及び前記第２のアドレスデータ読出手段により読み出し可能なアドレスデータに対応するＷｅｂページ数に基づいて、前記移動体の外部に設置された情報提供装置に対し、前記目的地に関連するＷｅｂページのアドレスデータの送信を要求すべきか否かを判断する要否判断手段と、該要否判断手段によりアドレスデータの送信を要求すべきであると判断されると、前記目的地設定手段により設定された目的地を特定する目的地特定情報を通信手段を介して、前記情報提供装置へ送信する第１の送信手段と、前記目的地特定情報に基づき、前記情報提供装置から送信されてくる前記目的地に関連するＷｅｂページのアドレスデータを受信する第１の受信手段とを備えていることを特徴としている。
【００３３】
上記ナビゲーション装置（５）によれば、前記移動体の外部に設置された情報提供装置に対し、前記目的地に関連するＷｅｂページのアドレスデータの送信を要求すべきか否かが判断され、アドレスデータの送信を要求すべきであると判断されると、前記目的地設定手段により設定された目的地を特定する目的地特定情報が通信手段を介して、前記情報提供装置へ送信され、前記目的地特定情報に基づき、前記情報提供装置から送信されてくる前記目的地に関連するＷｅｂページのアドレスデータが受信される。従って、前記目的地に関するＷｅｂページのアドレスデータを前記移動体の外部から取得することができるため、ユーザーへ提供する情報の充実度を高めることができる。
【００３４】
また、前記移動体の外部に設置された情報提供装置に対し、前記目的地に関連するＷｅｂページのアドレスデータの送信を要求すべきか否かの判断が、前記第１のアドレスデータ読出手段、及び前記第２のアドレスデータ読出手段により読み出し可能なアドレスデータに対応するＷｅｂページ数に基づいて行われるので、例えば、前記アドレスデータ記憶手段から得られる、前記目的地に関連するＷｅｂページのアドレスデータが全くない、又は少ない場合に限って、アドレスデータの送信を要求するようにすることもできる。これにより、必要以上に前記情報提供装置へアクセスするのを防止することができる。
【００３５】
また、本発明に係るナビゲーション装置（６）は、目的地を設定するための目的地設定手段を備えた、移動体に装備されるナビゲーション装置において、前記目的地設定手段により設定された目的地に関連するＷｅｂページのインデックス情報、種別データ、及びアドレスデータを対応づけて記憶する第１のデータ記憶手段と、該第１のデータ記憶手段に記憶されているインデックスを種別毎に表示するインデックス表示手段と、表示中のインデックスの中から、所望のインデックスをユーザーが選択するためのインデックス選択手段と、該インデックス選択手段により選択されたインデックスに対応するアドレスデータに基づいて、該アドレスデータに対応するＷｅｂページを表示する第１のＷｅｂページ表示手段とを備えていることを特徴としている。
【００３６】
前記目的地に関連するＷｅｂページが複数存在する場合には、表示させるＷｅｂページをユーザーが選択できるようになっているのが望ましい。しかしながら、Ｗｅｂページ情報が保存されている場所を示すアドレスを表示したとしても、そのアドレスに対応するＷｅｂページがどのような情報を提供してくれるのかを把握することはできない。従って、表示させるＷｅｂページをユーザーが選択できるようにするには、Ｗｅｂページのインデックス（例えば、Ｗｅｂページのタイトル）を表示する必要がある。上記ナビゲーション装置（６）によれば、例えば、後述する図９（ｃ）に示すように、Ｗｅｂページのインデックス情報が種別毎に表示されるので、ユーザーは表示を希望するＷｅｂページを簡単に発見し、選択することができる。
【００３７】
また、本発明に係るナビゲーション装置（７）は、上記ナビゲーション装置（６）において、前記種別データに基づいて、前記第１のデータ記憶手段に記憶されている各Ｗｅｂページの種別を表示する種別表示手段と、該種別表示手段により表示中の種別の中から、所望の種別をユーザーが選択するための種別選択手段とを備え、前記インデックス表示手段が、前記種別選択手段により選択された種別に対応するＷｅｂページのインデックスを表示するものであることを特徴としている。
【００３８】
上記ナビゲーション装置（７）によれば、第１の階層として、Ｗｅｂページの種別が表示され（後述する、図９（ｂ）参照）、第２の階層として、ユーザーにより選択された種別に対応するインデックス情報が表示される（図９（ｃ）参照）。すなわち、Ｗｅｂページを選択するための表示画面が階層構造になっているため、ユーザーは希望するＷｅｂページをより一層簡単に発見し、選択することができる。
【００３９】
また、本発明に係るナビゲーション装置（８）は、目的地を設定するための目的地設定手段と、該目的地設定手段により設定された目的地に関連するＷｅｂページ情報が保存されている場所を示すアドレスデータを記憶する第２のデータ記憶手段と、該第２のデータ記憶手段に記憶されているアドレスデータに基づいて、該アドレスデータに対応するＷｅｂページを表示する第２のＷｅｂページ表示手段とを備えた、移動体に装備されるナビゲーション装置において、前記目的地設定手段により設定された目的地が複数存在する場合、前記第２のＷｅｂページ表示手段が、前記移動体が次に到達する予定の目的地に関連するＷｅｂページを表示するものであることを特徴としている。
【００４０】
前記目的地設定手段により設定された目的地が複数存在する場合、例えば、自宅を出発した後、まず地点ａへ向かい、その後、地点ｂを経由して、最終的に地点ｃへ向かう場合、各地点ａ〜ｃに関連する情報はそれぞれ同等の価値がある訳ではない。例えば、地点ａを経由し、地点ｂへ向かっているところであれば、地点ａに関連する情報はあまり重要ではなく、最も重要な情報は次の目的地である地点ｂに関連する情報になるものと思われる。
【００４１】
上記ナビゲーション装置（８）によれば、前記目的地設定手段により設定された目的地が複数存在する場合、前記移動体が次に到達する予定の目的地に関連するＷｅｂページが表示されるので、最も重要な情報をユーザーに提供することができる。
【００４２】
また、本発明に係るナビゲーション装置（９）は、目的地を設定するための目的地設定手段と、該目的地設定手段により設定された目的地に関連するＷｅｂページ情報が保存されている場所を示すアドレスデータを記憶する第２のデータ記憶手段と、該第２のデータ記憶手段に記憶されているアドレスデータに基づいて、該アドレスデータに対応するＷｅｂページを表示する第２のＷｅｂページ表示手段とを備えた、移動体に装備されるナビゲーション装置において、前記移動体の前記目的地への到達状況を求める到達状況算出手段と、該到達状況算出手段により求められる前記目的地への到達状況に基づいて、前記第２のＷｅｂページ表示手段による前記目的地に関連するＷｅｂページの表示／消去の切り替えを行う表示切替手段とを備えていることを特徴としている。
【００４３】
通常時においては、ナビゲーション装置は車両などの移動体を目的地まで誘導するために地図画面を表示するようになっているが、Ｗｅｂページを表示していると、地図画面の表示が制限されることとなる。地図画面が詳しく表示されていないと、前記目的地へ到達しているか否かといったことや、該目的地の正確な場所を把握することが難しくなる虞がある。
【００４４】
上記ナビゲーション装置（９）によれば、前記移動体が前記目的地への到達状況に基づいて、前記目的地に関連するＷｅｂページの表示／消去の切り換えが行われるので、例えば、前記移動体が前記目的地まで残り数ｋｍになると、Ｗｅｂページが消去され、地図画面が表示されるようにすることができる。また、ユーザーによっては、目的地へ近づいたときに該目的地に関連するＷｅｂページの表示を好む場合もあるので、その場合には表示／消去の切り換えのタイミングを逆にすれば良い。
【００４５】
また、本発明に係るナビゲーション装置（１０）は、目的地を設定するための目的地設定手段と、該目的地設定手段により設定された目的地に関連するＷｅｂページ情報が保存されている場所を示すアドレスデータを記憶する第２のデータ記憶手段と、該第２のデータ記憶手段に記憶されているアドレスデータに基づいて、該アドレスデータに対応するＷｅｂページを表示する第２のＷｅｂページ表示手段とを備えた、移動体に装備されるナビゲーション装置において、表示すべきＷｅｂページが複数存在する場合、前記第２のＷｅｂページ表示手段が、表示すべき複数のＷｅｂページを順次表示していくものであることを特徴としている。
【００４６】
目的地に関連するＷｅｂページなどが多数存在したり、また、前記目的地に関するＷｅｂページに別のＷｅｂページがリンクされていて、表示すべきＷｅｂページが複数存在することが考えられる。移動体の中ではなく、自宅などでパソコンを使用している場合には、操作に不便さがないため、多数のＷｅｂページをユーザーの好みのままに表示させていくことができる。しかしながら、前記移動体の中は広くなく、また操作に不便さがあるため、多数のＷｅｂページをユーザーの好みのままに表示させていくことは非常に難しい。上記ナビゲーション装置（１０）によれば、表示すべきＷｅｂページが複数存在する場合、表示すべき複数のＷｅｂページが自動的に順次表示されていくので、上記問題を解消することができる。
【００４７】
また、本発明に係るナビゲーション装置（１１）は、上記ナビゲーション装置（１０）において、Ｗｅｂページの情報量に基づいて、表示時間を設定する表示時間設定手段を備え、前記第２のＷｅｂページ表示手段が、前記表示時間設定手段により設定された表示時間に基づいて、Ｗｅｂページを順次表示していくものであることを特徴としている。
【００４８】
上記ナビゲーション装置（１１）によれば、Ｗｅｂページの情報量（例えば、ページに含まれる文字数）に基づいて、Ｗｅｂページの表示時間が設定され、その設定された表示時間に基づいて、Ｗｅｂページが自動的に順次表示されていくので、例えば、画像が多く文字数の少ないページ（すなわち、短い時間で瞬時に情報を把握することのできるページ）の表示時間は短くされ、画像が少なく文字数の多いページ（すなわち、短い時間での情報の把握が難しいページ）の表示時間は長くされる。従って、Ｗｅｂページをより効果的に表示していくことができる。
【００４９】
また、本発明に係るナビゲーション装置（１２）は、目的地を設定するための目的地設定手段を備えた、移動体に装備するナビゲーション装置において、前記目的地設定手段により設定された目的地を特定する目的地特定情報を通信手段を介して、前記移動体の外部に設置された情報提供装置へ送信する第２の送信手段と、前記目的地特定情報に基づき、前記情報提供装置から送信されてくる、前記目的地に関連するＷｅｂページ情報が保存されている場所を示すアドレスデータを受信する第２の受信手段とを備えていることを特徴としている。
【００５０】
上記ナビゲーション装置（１２）によれば、前記目的地設定手段により設定された目的地を特定する目的地特定情報が通信手段を介して、前記情報提供装置へ送信され、前記目的地特定情報に基づき、前記情報提供装置から送信されてくる前記目的地に関連するＷｅｂページのアドレスデータが受信される。
【００５１】
従って、前記目的地に関するＷｅｂページのアドレスデータを前記移動体の外部から取得することができるため、各種Ｗｅｂページ情報が保存されている場所を示すアドレスデータが記憶されたアドレスデータ記憶手段からアドレスデータを読み出すための機能を装備する必要がないため、装置の簡略化を図ることができる。
【００５２】
また、本発明に係る情報提供装置（１）は、通信手段を介して外部へ情報の提供を行う情報提供装置において、外部のナビゲーション装置から送信されてくる、ある地点を特定する地点特定情報を受信する第３の受信手段と、前記地点特定情報を受信すると、各種Ｗｅｂページ情報が保存されている場所を示すアドレスデータが記憶されたアドレスデータ記憶手段から、前記地点に関するＷｅｂページ情報が保存されている場所を示すアドレスデータを読み出す第３のアドレスデータ読出手段と、該第３のアドレスデータ読出手段により読み出されたアドレスデータを前記通信手段を介して、前記ナビゲーション装置へ送信する第３の送信手段とを備えていることを特徴としている。
【００５３】
上記情報提供装置（１）によれば、外部のナビゲーション装置（例えば、移動体に装備されているナビゲーション装置）から送信されてくる、ある地点を特定する地点特定情報を受信すると、前記アドレスデータ記憶手段から前記地点に関するＷｅｂページ情報が保存されている場所を示すアドレスデータが読み出され、読み出されたアドレスデータが前記通信手段を介して、前記ナビゲーション装置へ送信される。
【００５４】
このように、外部からアドレスデータ送信の要求があると、その要求に応じたアドレスデータを要求元へ送信することができるので、要求元となるナビゲーション装置それ自体にアドレスデータを読み出す機能を装備しなくても済むようにすることができる。
【００５５】
【発明の実施の形態】
以下、本発明に係るナビゲーション装置、及び情報提供装置の実施の形態を図面に基づいて説明する。図１は、実施の形態（１）に係るナビゲーション装置を含んで構成される情報処理システムの要部を概略的に示したブロック図である。
【００５６】
図中１１は、車両１２に搭載されるナビゲーション装置を示しており、ナビゲーション装置１１には携帯電話などの移動体通信装置（図示せず）が接続されるようになっており、その移動体通信装置を使い、例えば、基地局１３及びインターネット１４を介して、インターネット１４に接続されているサーバー１５、１６などへアクセスすることができるようになっている。
【００５７】
図２は、実施の形態（１）に係るナビゲーション装置の要部を概略的に示したブロック図である。但し、図１６に示したナビゲーション装置と同様の構成部分については同符号を付し、ここではその説明を省略する。車速センサ２とジャイロセンサ３とがマイコン２１に接続されており、マイコン２１は演算した走行距離及び進行方向に基づいて、自車位置を割り出すことができるようになっている（自律航法）。また、ＧＰＳ受信機４はマイコン２１に接続されており、マイコン２１はＧＰＳ信号に基づいて自車位置を割り出すことができるようになっている（ＧＰＳ航法）。
【００５８】
道路地図データや施設等データ（図３参照）、気象等データ（図４参照）などが記憶されたＤＶＤ−ＲＯＭ２２から、道路地図データなどを取り込むことのできるＤＶＤドライブ６がマイコン２１に接続されており、マイコン２１は割り出した自車位置と道路データとを合わせる（いわゆる、マップマッチング処理を行う）ことによって、自車位置が正確に示された地図を表示パネル２３ａへ表示することができるようになっている。
【００５９】
図３は、ＤＶＤ−ＲＯＭ２２に記憶されている施設等データベースのデータフォーマットの一例を示した図である。図３に示したように、ＤＶＤ−ＲＯＭ２２には施設等データとして、施設等の名称や、位置、種別（ジャンル）、電話番号、Ｗｅｂページ情報が保存されている場所（アドレス）に関するデータが記憶されている。例えば、名称が「○×ゴルフ場」という施設が位置（ｘ１，ｙ１）に存在することや、前記施設のジャンルがゴルフ場であることや、前記施設のＷｅｂページのアドレスが「ｈｔｔｐ：／／．ｗｗｗ．ｏｘｇｏｌｆ・・」であることなどが記憶されている。
【００６０】
図４は、ＤＶＤ−ＲＯＭ２２に記憶されている気象等データベースのデータフォーマットの一例を示した図である。図４に示したように、ＤＶＤ−ＲＯＭ２２には気象等データとして、タイトル名や、エリア、種別、Ｗｅｂページ情報が保存されている場所に関するデータが記憶されている。例えば、タイトル名が「天気（神戸）」である情報は、位置（ｘａ１，ｙａ１）と位置（ｘａ２，ｙａ２）とに囲まれるエリアにおける情報であることや、天気に関する情報であることや、またＷｅｂページのアドレスが「ｈｔｔｐ：／／ｗｗｗ．ｔｅｎｋｉｋｏｂｅ・・」であることなどが記憶されている。なお、ここでは道路地図データや、施設等データ、気象等データなどが記憶された記憶装置として、ＤＶＤ−ＲＯＭを採用しているが、記憶装置はＤＶＤ−ＲＯＭに限定されるものではなく、その他ＣＤ−ＲＯＭやハードディスクなどの記憶装置であっても良い。
【００６１】
リモコン８に設けられたジョイスティック８ａやボタンスイッチ８ｂから出力されたスイッチ信号や、表示装置２３に設けられたボタンスイッチ２３ｂから出力されたスイッチ信号はマイコン２１に入力され、これらスイッチ信号に応じた処理がマイコン２１で行われるようになっている。
【００６２】
表示パネル２３ａの上下左右には複数の赤外線ＬＥＤと複数のフォトトランジスタ（図示せず）とが対向して配置され、指が表示パネル２３ａに触れた位置を検出することができるように構成され、検出された結果についてはマイコン２１で取得することができるようになっている。
【００６３】
また、マイコン２１にはモデム２４が接続されており、モデム２４を通じて携帯電話などの移動体通信装置２５を制御することによって、インターネット１４（図１参照）を介してサーバー１５、１６などへアクセスすることができるようになっている。また、マイコン２１内のＲＯＭ（図示せず）には、図５に示したような、目的地として設定される施設等の種別と、該種別の施設等への訪問目的に基づくユーザーにとって有用性の高い施設等の種別との関係を示した種別関係データが格納されている。図５に示した種別関係データによれば、ゴルフ場が目的地として設定された場合には、ユーザーにとって有用性の高い情報は、駐車場、レストラン、ゴルフ練習場、コンビニエンスストア、天気予報に関する情報となる。
【００６４】
なお、ここではユーザーにとって有用性の高い施設等の種別として、目的地として設定される施設等の種別と同じ種別を含むようにしていないが、別の実施の形態では、目的地として設定される施設等の種別と同じ種別を含むようにしても良い。例えば、「○×ゴルフ場」への訪問目的に基づくユーザーにとって有用性の高い施設等の種別として、ゴルフ場を含むようにする。
【００６５】
また、さらに別の実施の形態では、図６に示したような画面を通じて、目的地として設定される施設等の種別と、検索対象となるＷｅｂページ情報との関連付けをユーザーが自由に設定できるようにし、この画面を通じて設定された内容を種別関係データとして利用するようにしても良い。
【００６６】
実施の形態（１）に係るナビゲーション装置１１におけるマイコン２１の行う処理動作▲１▼を図７、図９、図１０に示したフローチャートに基づいて説明する。まず、各種スイッチ等から得られる信号に基づいて、ユーザーにより目的地の設定（又は変更）が新たに行われたか否かを判断する（ステップＳ１）。
【００６７】
目的地の設定（又は変更）が新たに行われたと判断すれば、次に、設定された目的地の数をｎ’とし、カウンタｎを１にして（ステップＳ２）、ステップＳ４へ進む。一方、目的地の設定（又は変更）が新たに行われていないと判断すれば、次に、目的地は既に設定済みであるか否かを判断する（ステップＳ３）。
【００６８】
目的地が既に設定済みであると判断すれば、ステップＳ２の処理を行う必要がないので、そのままステップＳ４へ進む。一方、目的地は設定済みでない（すなわち、目的地は設定されていない）と判断すれば、ステップＳ４以降の処理を行う必要がないので、そのまま処理動作▲１▼を終了する。
【００６９】
ステップＳ４では、各種スイッチ等から得られる信号に基づいて、ユーザーにより目的地に関連するＷｅｂページの表示が指示されたか否かを判断し、Ｗｅｂページの表示が指示されていると判断すれば、次に、カウンタｎが目的地数ｎ’を超過しているか否かを判断する（ステップＳ５）。一方、Ｗｅｂページの表示が指示されていないと判断すれば、そのまま処理動作▲１▼を終了する。
【００７０】
後で詳しく説明するが、カウンタｎは目的地へ到着すると、カウントアップされるようになっているため（図１０のステップＳ２４）、カウンタｎが目的地数ｎ’を超過するということは、設定された目的地全てに到着したことを示している。従って、ステップＳ５において、カウンタｎが目的地数ｎ’を超過していると判断すれば、そのまま処理動作▲１▼を終了する。一方、カウンタｎは目的地数ｎ’を超過していないと判断すれば、次に、第ｎ番目の目的地の名称や、位置、電話番号などを示すデータに基づいて、ＤＶＤ−ＲＯＭ２２から第ｎ番目の目的地に関するＷｅｂページ情報のアドレスデータの検索を行う（ステップＳ６）。なお、このアドレスデータの検索に目的地の名称や、位置、電話番号などを示すデータが使用できるのは、通常、目的地の設定は名称や電話番号、住所などの入力を通じて行われるからである。
【００７１】
次に、第ｎ番目の目的地に関するＷｅｂページ情報のアドレスデータが検索されたか否かを判断し（ステップＳ７）、所望のアドレスデータが検索されたと判断すれば、ＤＶＤ−ＲＯＭ２２から前記所望のアドレスデータを読み出し（ステップＳ８）、移動体通信装置２５を使って、読み出したアドレスデータに基づいて、対応するアドレスへアクセスし、それにより得られるＷｅｂページ情報に基づいて、Ｗｅｂページ（すなわち、第ｎ番目の目的地に関するＷｅｂページ）を表示パネル２３ａへ表示する（ステップＳ９）。図８は、目的地として設定された「○×ゴルフ場」に関するＷｅｂページが表示パネル２３ａに表示された図を示したものである。
【００７２】
一方、ステップＳ７において、前記所望のアドレスデータは検索されなかったと判断すれば、「目的地に関するＷｅｂページはありません」といったメッセージを表示パネル２３ａに表示して、目的地に関するＷｅｂページ情報が存在しないことをユーザーへ知らせる（ステップＳ１０）。
【００７３】
次に、ＤＶＤ−ＲＯＭ２２から第ｎ番目の目的地の位置データ、及び種別データを読み出し（ステップＳ１１）、読み出した第ｎ番目の目的地の位置データ、及び種別データと、マイコン２１内のＲＯＭに記憶されている種別関係データとに基づいて、ＤＶＤ−ＲＯＭ２２から第ｎ番目の目的地への訪問目的に基づくユーザーにとって有用性の高いＷｅｂページ情報の検索を行う（ステップＳ１２）。
【００７４】
例えば、目的地として「○×ゴルフ場」が設定されている場合には、「○×ゴルフ場」の位置（ｘ１，ｙ１）周辺に存在する駐車場、レストラン、ゴルフ練習場、コンビニエンスストアに関するＷｅｂページ情報と、位置（ｘ１，ｙ１）付近の天気に関するＷｅｂページ情報とが検索の対象となる。
【００７５】
次に、第ｎ番目の目的地への訪問目的に基づくユーザーにとって有用性の高いＷｅｂページ情報が検索されたか否かを判断し（ステップＳ１３）、所望のＷｅｂページ情報が検索されたと判断すれば、ＤＶＤ−ＲＯＭ２２から前記所望のＷｅｂページ情報のアドレスデータ、種別データ、及び名称データを読み出し（ステップＳ１４）、その後、目的地そのものではなく、該目的地に関連するＷｅｂページ（すなわち、目的地への訪問目的に基づくユーザーにとって有用性の高いＷｅｂページ）の表示に関する処理を行う（ステップＳ１５、図９参照）。
【００７６】
一方、前記所望のＷｅｂページ情報が検索されなかったと判断すれば、「目的地周辺に関するＷｅｂページはありません」といったメッセージを表示パネル２３ａに表示して、目的地周辺に関するＷｅｂページ情報が存在しないことをユーザーへ知らせ（ステップＳ１６）、その後、処理動作▲１▼を終了する。
【００７７】
次に、目的地に関連するＷｅｂページの表示に関するマイコン２１の行う処理動作を、図９（ａ）〜図９（ｄ）に示した表示パネル２３ａに表示される画面を示した図を用いて説明する。まず、図９（ａ）に示したように、目的地そのものではなく、該目的地に関連するＷｅｂページ（すなわち、目的地への訪問目的に基づくユーザーにとって有用性の高いＷｅｂページ）が存在することをユーザーへ知らせるために、「関連情報」ボタンを表示パネル２３ａに表示する。換言すれば、「関連情報」ボタンが表示されないことは、目的地への訪問目的に基づくユーザーにとって有用性の高いＷｅｂページが存在しないことを表す。
【００７８】
図９（ａ）に示したような画面を通じて、「関連情報」ボタンが選択されると、ステップＳ１４で読み出した種別データに基づいて、目的地として設定された施設等（例えば、「○×ゴルフ場」）への訪問目的に基づくユーザーにとって有用性の高い施設等の種別（ジャンル）を示したボタンを表示パネル２３ａに表示する。図９（ｂ）に、種別を示したボタンが表示された場合の一例を示す。他方、「戻る」ボタンが選択されると、画面表示を前の状態に戻す（図８参照）。
【００７９】
図９（ｂ）に示したような画面を通じて、種別ボタンのいずれかが選択されると、選択された種別、及びステップＳ１４で読み出した名称データに基づいて、選択された種別に対応する施設等の名称をインデックス情報として表示パネル２３ａに表示する。図９（ｃ）に、インデックス情報として各施設等の名称が表示された場合の一例を示す。他方、「戻る」ボタンが選択されると、画面表示を前の状態に戻す（図９（ａ）参照）。
【００８０】
図９（ｃ）に示したような画面を通じて、インデックス情報として表示された名称のいずれかが選択されると、選択された名称、及びステップＳ１４で読み出したアドレスデータに基づいて、選択された名称に対応する施設等のＷｅｂページのアドレスへアクセスし、それにより得られるＷｅｂページ情報に基づいて、Ｗｅｂページ（すなわち、第ｎ番目の目的地に関連するＷｅｂページ）を表示パネル２３ａに表示する。図９（ｄ）は、「○○レストラン」に関するＷｅｂページが表示パネル２３ａに表示された場合の図を示したものである。他方、「戻る」ボタンが選択されると、画面表示を前の状態に戻す（図９（ｃ）参照）。
【００８１】
目的地に関連するＷｅｂページの表示に関する処理の後、ステップＳ２１（図１０）へ進んで、ＧＰＳ信号などから得られる車両１２の位置情報、及び第ｎ番目の目的地の位置情報に基づいて、車両１２が第ｎ番目の目的地へ接近したか否か（例えば、到着まで残り１ｋｍとなったか否か）を判断し、車両１２が第ｎ番目の目的地へ接近したと判断すれば、Ｗｅｂページを閉じて、誘導ルート等が表示されている地図画面を表示パネル２３ａへ表示する（ステップＳ２２）。一方、車両１２が第ｎ番目の目的地へ接近していないと判断すれば、そのまま処理動作▲１▼を終了する。
【００８２】
次に、車両１２が第ｎ番目の目的地へ到着したか否か（例えば、車両１２が目的地から１００ｍ以内の範囲に存在するか否か）を判断し（ステップＳ２３）、車両１２が第ｎ番目の目的地へ到着したと判断すれば、カウンタｎに１を加算し（ステップＳ２４）、その後、処理動作▲１▼を終了する。一方、車両１２が第ｎ番目の目的地へ到着していないと判断すれば、そのまま処理動作▲１▼を終了する。
【００８３】
上記実施の形態（１）に係るナビゲーション装置によれば、ＤＶＤ−ＲＯＭ２２から、目的地への訪問目的に基づくユーザーにとって有用性の高いＷｅｂページ情報のアドレスデータを読み出すことができ、また、目的地への訪問目的に基づくユーザーにとっての有用性の優劣基準が、目的地との位置的関連性だけでなく、目的地として設定される施設等の種別に基づいている。
【００８４】
例えば、目的地としてゴルフ場が設定され、該ゴルフ場の近くにゴルフ練習場や、レストラン、遊園地、学校、コンビニエンスストアが存在する場合には、ゴルフ練習場や、レストラン、コンビニエンスストアに関するＷｅｂページのアドレスデータが読み出されることとなる。
【００８５】
すなわち、目的地への訪問目的に基づくユーザーにとって有用性の高いＷｅｂページのアドレスデータが読み出されるため、ユーザーにとって有用性の高いＷｅｂページを表示することができる。従って、目的地への訪問にとって有用性の高い情報をユーザーへ提供することができる。
【００８６】
なお、上記実施の形態（１）に係るナビゲーション装置では、目的地の位置データ、及び種別データと、マイコン２１内のＲＯＭに記憶されている種別関係データとに基づいて、ＤＶＤ−ＲＯＭ２２から目的地への訪問目的に基づくユーザーにとって有用性の高いＷｅｂページ情報の検索を行うようになっているが、別の実施の形態に係るナビゲーション装置では、図１１に示したように、目的地となる施設等（例えば、ゴルフ場やスキー場）と、前記施設等への訪問目的に基づくユーザーにとって有用性の高いＷｅｂページのアドレスデータとが関連づけて記憶された記憶装置を用い、検索処理を簡単に行うことができるようにしても良い。
【００８７】
また、上記実施の形態（１）に係るナビゲーション装置では、図９（ａ）〜図９（ｃ）に示したような画面を通じて、ユーザーからの操作を受けて、目的地に関連するＷｅｂページを表示するようになっているが、別の実施の形態に係るナビゲーション装置では、目的地に関連するＷｅｂページを自動的に順次表示していくようにしても良い。また、さらに別の実施の形態では、各Ｗｅｂページの情報量（例えば、ページに含まれる文字数）に基づいて、Ｗｅｂページの表示時間を設定するようにしても良い。図１２に、Ｗｅｂページが自動的に順次表示されていく状態を示す。なお、Ｗｅｂページの情報量については、Ｗｅｂページを構成するＨＴＭＬ（ＨｙｐｅｒＴｅｘｔ  Ｍａｒｋｕｐ  Ｌａｎｇｕａｇｅ  ）ファイル等を分析することによって得られる。
【００８８】
図１３は、実施の形態（２）に係るナビゲーション装置、及び情報提供装置を含んで構成される情報処理システムの要部を概略的に示したブロック図である。図中１１Ａは、車両１２に搭載されるナビゲーション装置を示しており、ナビゲーション装置１１Ａには携帯電話などの移動体通信装置（図示せず）が接続されるようになっており、その移動体通信装置を使い、例えば、基地局１３及びインターネット１４を介して、インターネット１４に接続されているサーバー１５、１６、２６などへアクセスすることができるようになっている。なお、実施の形態（２）に係るナビゲーション装置については、マイコン２１を除いて、図２に示したナビゲーション装置と同様の構成であるため、ここではマイコンには異なる符号を付し、その他の構成部分についての説明を省略する。
【００８９】
サーバー２６は、情報提供装置２７と、インターネット１４を介して外部と情報のやり取りをするための通信手段３０とを含んで構成され、情報提供装置２７は通信手段３０と接続された処理手段２８と、ハードディスクなどで構成されるアドレスデータ記憶手段２９とを含んで構成されている。また、アドレスデータ記憶手段２９は、施設等データ（図３参照）や、気象等データ（図４参照）などが記憶されている。但し、アドレスデータ記憶手段２９に記憶されている施設等データ及び気象等データは車両１２に装備されるＤＶＤ−ＲＯＭ２２に記憶されているデータよりもデータ量が多く、内容が充実している。また、処理手段２８内のＲＯＭ（図示せず）には、図５に示したような、施設等の種別と、該種別の施設等への訪問目的に基づくユーザーにとって有用性の高い施設等の種別との関係を示した種別関係データが格納されている。
【００９０】
実施の形態（２）に係る情報提供装置２７における処理手段２８の行う処理動作▲２▼を図１４に示したフローチャートに基づいて説明する。まず、インターネット１４を介して外部の情報処理装置（例えば、車両１２に装備されているナビゲーション装置１１Ａ）から送信されてくる、ある地点を特定する地点特定情報を受信したか否かを判断する（ステップＳ３１）。
【００９１】
前記地点特定情報を受信したと判断すれば、アドレスデータ記憶手段２９から前記地点特定情報が示す地点の位置データ、及び種別データを読み出し（ステップＳ３２）、読み出した位置データ、及び種別データと、処理手段２８内のＲＯＭに記憶されている種別関係データとに基づいて、アドレスデータ記憶手段２９から前記地点特定情報が示す地点への訪問目的に基づくユーザーにとって有用性の高いＷｅｂページ情報の検索を行う（ステップＳ３３）。
【００９２】
例えば、前記地点が「○×ゴルフ場」である場合には、「○×ゴルフ場」の位置（ｘ１，ｙ１）周辺に存在する駐車場、レストラン、ゴルフ練習場、コンビニエンスストアに関するＷｅｂページ情報と、位置（ｘ１，ｙ１）周辺の天気に関するＷｅｂページ情報とが検索の対象となる。
【００９３】
次に、前記地点への訪問目的に基づくユーザーにとって有用性の高いＷｅｂページ情報が検索されたか否かを判断し（ステップＳ３４）、所望のＷｅｂページ情報が検索されたと判断すれば、アドレスデータ記憶手段２９から前記所望のＷｅｂページ情報のアドレスデータ、種別データ、及び名称データを読み出し（ステップＳ３５）、その後、読み出したこれらデータを前記地点特定情報の送信元（例えば、ナビゲーション装置１１Ａ）へ通信手段３０を使って送信する（ステップＳ３６）。一方、前記所望のＷｅｂページ情報が検索されなかったと判断すれば、その旨を示すデータを前記地点特定情報の送信元へ通信手段３０を使って送信する（ステップＳ３７）。また、ステップＳ３１において、前記地点特定情報を受信していないと判断すれば、ステップＳ３２〜Ｓ３７までの処理を行う必要がないので、そのまま処理動作▲２▼を終了する。
【００９４】
次に、実施の形態（２）に係るナビゲーション装置１１Ａにおけるマイコン２１Ａの行う処理動作▲３▼を図１５に示したフローチャートに基づいて説明する。但し、ステップＳ４１〜Ｓ５４までの処理は、図７に示したステップＳ１〜Ｓ１４までの処理と同様であるため、ここではその説明を省略する。
【００９５】
ステップＳ５３における判断処理で、第ｎ番目の目的地への訪問目的に基づくユーザーにとって有用性の高いＷｅｂページ情報が検索されなかったと判断すれば、移動体通信装置２５を使って、ある特定のサーバー２６へアクセスし、サーバー２６へ第ｎ番目の目的地を特定するための地点特定情報を送信し、第ｎ番目の目的地に関連するＷｅｂページ情報のアドレスデータ等の送信を要求する（ステップＳ５５）。
【００９６】
前述した通り、サーバー２６を構成する情報提供装置２７は地点特定情報を受信すると、該地点特定情報が示す地点に関連するＷｅｂページ情報の検索を行い、所望のＷｅｂページ情報が検索されると、対応するアドレスデータ、種別データ、及び名称データを送信し、他方、前記所望のＷｅｂページ情報が検索されなかった場合には、その旨を示すデータを送信するようになっている。
【００９７】
次に、前記地点特定情報に基づき、サーバー２６（情報提供装置２７）から送信されてくるデータから、前記地点特定情報が示す地点（すなわち、第ｎ番目の目的地）に関連するＷｅｂページ情報が存在するか否かを判断し（ステップＳ５６）、所望のＷｅｂページ情報が存在すると判断すれば、次に、サーバー２６から送信されてきたデータに含まれる、アドレスデータ、種別データ、及び名称データを使って、第ｎ番目の目的地に関連するＷｅｂページ（すなわち、目的地への訪問目的に基づくユーザーにとって有用性の高いＷｅｂページ）の表示に関する処理を行う（ステップＳ５７、図９参照）。
【００９８】
一方、前記所望のＷｅｂページ情報が存在しないと判断すれば、「目的地周辺に関するＷｅｂページはありません」といったメッセージを表示パネル２３ａに表示して、目的地に関連するＷｅｂページ情報が存在しないことをユーザーへ知らせ（ステップＳ５８）、その後、処理動作▲３▼を終了する。
【００９９】
上記実施の形態（２）に係るナビゲーション装置によれば、車両１２に装備されているＤＶＤ−ＲＯＭ２２に、目的地に関連するＷｅｂページ情報のアドレスデータが存在しない場合、車両１２の外部に設置されたサーバー２６（情報提供装置２７）に対し、目的地を特定する地点特定情報を移動体通信装置２５を使って送信し、前記地点特定情報に基づき、サーバー２６から送信されてくる目的地に関連するＷｅｂページ情報のアドレスデータを受信する。従って、目的地に関するＷｅｂページ情報のアドレスデータを車両１２の外部から取得することができるため、ユーザーへ提供する情報の充実度を高めることができる。
【０１００】
なお、上記実施の形態（２）に係るナビゲーション装置では、車両１２に装備されているＤＶＤ−ＲＯＭ２２に、目的地に関連するＷｅｂページ情報のアドレスデータが存在しない場合、サーバー２６へアドレスデータ等の送信を要求するようになっているが、別の実施の形態に係るナビゲーション装置では、ＤＶＤ−ＲＯＭ２２から得られる情報が少ない場合に、サーバー２６へアドレスデータ等の送信を要求するようにしても良い。また、さらに別の実施の形態では、車両１２に装備されているＤＶＤ−ＲＯＭ２２を使用せず（すなわち、ナビゲーション装置側で検索処理を行わず）、サーバー２６から得られる情報だけでＷｅｂページの表示を行うようにしても良い。
【図面の簡単な説明】
【図１】本発明の実施の形態（１）に係るナビゲーション装置を含んで構成される情報処理システムの要部を概略的に示したブロック図である。
【図２】実施の形態（１）に係るナビゲーション装置の要部を概略的に示したブロック図である。
【図３】施設等データベースのデータフォーマットの一例を示した図である。
【図４】気象等データベースのデータフォーマットの一例を示した図である。
【図５】目的地として設定される施設等の種別と、該種別の施設等への訪問目的に基づくユーザーにとって有用性の高い施設等の種別との関係を示した図である。
【図６】（ａ）、（ｂ）は、実施の形態（１）に係るナビゲーション装置における表示パネルに表示される操作画面を示した図である。
【図７】実施の形態（１）に係るナビゲーション装置におけるマイコンの行う処理動作を示したフローチャートである。
【図８】実施の形態（１）に係るナビゲーション装置における表示パネルにＷｅｂページが示された場合の一例を示した図である。
【図９Ａ】（ａ）は、図８に示した画面に関連情報ボタンが表示された画面を示した図であり、（ｂ）は、実施の形態（１）に係るナビゲーション装置における表示パネルに表示される操作画面を示した図である。
【図９Ｂ】（ｃ）は、実施の形態（１）に係るナビゲーション装置における表示パネルに表示される操作画面を示した図であり、（ｄ）は、表示パネルにＷｅｂページが表示された場合の一例を示した図である。
【図１０】実施の形態（１）に係るナビゲーション装置におけるマイコンの行う処理動作を示したフローチャートである。
【図１１】目的地となる施設等と、該施設等への訪問目的に基づくユーザーにとって有用性の高いＷｅｂページのアドレスデータとが関連づけて記憶されたデータベースのデータフォーマットの一例を示した図である。
【図１２】表示パネルにＷｅｂページが順次表示されていく状態を示した図である。
【図１３】実施の形態（２）に係るナビゲーション装置及び情報提供装置を含んで構成される情報処理システムの要部を概略的に示したブロック図である。
【図１４】実施の形態（２）に係る情報提供装置における処理手段の行う処理動作を示したフローチャートである。
【図１５】実施の形態（２）に係るナビゲーション装置におけるマイコンの行う処理動作を示したフローチャートである。
【図１６】従来のナビゲーション装置の要部を概略的に示したブロック図である。
【符号の説明】
１１、１１Ａ  ナビゲーション装置
１２  車両
２１、２１Ａ  マイコン
２２  ＤＶＤ−ＲＯＭ
２３  表示装置
２６  サーバー
２７  情報提供装置
２８  処理手段
２９  アドレスデータ記憶手段
【図１】
2004325187.tif 000003
【図２】
2004325187.tif 000004
【図３】
2004325187.tif 000005
【図４】
2004325187.tif 000006
【図５】
2004325187.tif 000007
【図６】
2004325187.tif 000008
【図７】
2004325187.tif 000009
【図８】
2004325187.tif 000010
【図９Ａ】
2004325187.tif 000011
【図９Ｂ】
2004325187.tif 000012
【図１０】
2004325187.tif 000013
【図１１】
2004325187.tif 000014
【図１２】
2004325187.tif 000015
【図１３】
2004325187.tif 000016
【図１４】
2004325187.tif 000017
【図１５】
2004325187.tif 000018
【図１６】
2004325187.tif 000019